(57)【要約】    【課題】      災害地域に居る各携帯電話機の所持者に、現在在る地点から最も近い避難所の位置情報を通知する緊急避難情報通知システムを提供する。    【解決手段】  緊急避難情報通知システム１の防災センタ２は、災害の発生を検知して無線電波の受信できる範囲にある不特定多数の携帯電話機３に緊急情報を発信する送信部１３と、携帯電話機３から位置情報を受信する受信部１２と、避難所の位置情報を記憶する避難所位置情報記憶部１９と、携帯電話機３から受信した位置情報と避難所位置情報記憶部１９に記憶される避難所の位置情報とを比較し、携帯電話機３に最も近い避難所を選定して携帯電話機３に送信する避難所選定部１７とを有する。  【選択図】      図２
2006121535.tif 000002
【特許請求の範囲】
【請求項１】
災害の発生を検知して無線電波の受信できる範囲にある不特定多数の携帯電話機に緊急情報を発信する送信手段と、
前記携帯電話機から位置情報を受信する受信手段と、
避難所の位置情報を記憶する記憶手段と、
前記携帯電話機から受信した位置情報と前記記憶手段に記憶される避難所の位置情報とを比較し、前記携帯電話機に最も近い避難所を選定して前記携帯電話機に送信する選定手段と
を有する防災センタと、
前記防災センタから発信された緊急情報を受信する受信手段と、
前記緊急情報を受信すると、自装置が存在する位置情報を取得する位置情報取得手段と、
前記位置情報取得手段によって取得した位置情報を前記防災センタに送信する送信手段と
を有し、
前記受信手段によって前記防災センタから送信された避難所の位置情報を受信する携帯電話機と
を具備する緊急避難情報通知システム。
【請求項２】
前記防災センタの記憶手段は、各避難所が収容できる定員数、及び現在までに前記避難所に避難するように通知した携帯電話機の数を含んで記憶し、前記防災センタは、現在までに選定した前記避難所に避難するように通知した携帯電話機の数と前記避難所の定員数を比較して、満員と判定される避難所を前記記憶手段に記憶される前記避難所の位置情報から除く判定手段を含んで備え、前記選定手段は、前記記憶手段に記憶される前記避難所の位置情報に従って前記携帯電話機に最も近い避難所を選定することを特徴とする請求項１に記載の緊急避難情報通知システム。
【請求項３】
前記防災センタの記憶手段は、各避難所に準備された救援物資の保管数、及び現在までに前記避難所に避難するように通知した携帯電話機の数を含んで記憶し、前記防災センタは、現在までに選定した前記避難所に避難するように通知した携帯電話機の数と前記避難所に準備された救援物資の保管数とを比較して不足する救援物資の配送を依頼する配送依頼手段を含んで備えることを特徴とする請求項１又は請求項２のいずれかに記載の緊急避難情報通知システム。
【発明の詳細な説明】
【技術分野】
【０００１】
本発明は、災害などが発生したとき防災センタが携帯電話機に対して避難情報を通知する緊急避難情報通知システムに関し、特に、携帯電話機の所持者が現在居る地点に応じて個別の避難情報を通知する緊急避難情報通知システムに関する。
【背景技術】
【０００２】
従来より、地震、洪水、火災などの災害発生時、災害の発生したエリア内にある携帯電話機に緊急情報を伝達する緊急情報伝達システムがある（例えば、特許文献１参照）。また、移動無線端末の位置を高精度に決定する方法も知られている（例えば、特許文献２参照）。
【０００３】
特許文献１の緊急情報伝達システムは、担当エリアにある携帯電話機と無線通信を行う携帯電話基地局と、各携帯電話基地局の担当エリアにある携帯電話機の位置を登録したデータベースを管理する携帯電話用制御局とを備え、携帯電話用制御局は、防災センタから携帯電話事業者センタを介して緊急情報を受信すると、データベースから災害地域にある携帯電話機を抽出し、携帯電話基地局を制御して抽出した携帯電話機に対して緊急情報を送信するので、防災無線が聞こえないときも災害地域にある携帯電話機に防災情報を伝達することができる。
【０００４】
特許文献２の移動無線端末の位置を決定する方法は、位置が分かる３つの無線基地局と、固定無線端末と、サービスノードを備え、移動無線端末と固定無線端末で３つの無線基地局から受けたタイミング信号ダウンリンク間の相対受信時間を測定し、サービスノードにおいて、固定無線端末の測定値からタイミング信号ダウンリンクの送信時間オフセットを計算し、移動無線端末で測定した相対受信時間と固定無線端末の位置から移動無線端末の位置を計算して、移動無線端末を所持している利用者の現在地を正確に特定することができる。
【特許文献１】特開２００１−３６６４５号公報（段落［００１３］−［００１６］、図１）
【特許文献２】国際公開第００／５０４８３８号パンフレット（図１）
【発明の開示】
【発明が解決しようとする課題】
【０００５】
しかしながら、従来の移動無線端末の位置を決定する方法は、移動無線端末の位置を求めることに留まっている。また、緊急情報伝達システムにおいては、災害地域にある携帯電話機に同じ緊急情報が伝達されるため、直ぐ近く避難所が在るにもかかわらず、遠く離れた避難所を通知されたり、一つの避難所に人が集中して救援物資が不足したり、避難所から再度別の避難所に移動しなければならないという問題があった。
【０００６】
本発明は、かかる点に鑑みてなされたものであり、災害地域に居る各携帯電話機の所持者に、現在在る地点から最も近い避難所の位置情報を通知する緊急避難情報通知システムを提供することを目的とする。
【課題を解決するための手段】
【０００７】
本発明の緊急避難情報通知システムは、災害の発生を検知して無線電波の受信できる範囲にある不特定多数の携帯電話機に緊急情報を発信する送信手段と、前記携帯電話機から位置情報を受信する受信手段と、避難所の位置情報を記憶する記憶手段と、前記携帯電話機から受信した位置情報と前記記憶手段に記憶される避難所の位置情報とを比較し、前記携帯電話機に最も近い避難所を選定して前記携帯電話機に送信する選定手段とを有する防災センタと、前記防災センタから発信された緊急情報を受信する受信手段と、前記緊急情報を受信すると、自装置が存在する位置情報を取得する位置情報取得手段と、前記位置情報取得手段によって取得した位置情報を前記防災センタに送信する送信手段とを有し、前記受信手段によって前記防災センタから送信された避難所の位置情報を受信する携帯電話機とを具備する。
【発明の効果】
【０００８】
本発明によれば、災害地域に居る各携帯電話機の所持者に、現在在る地点から最も近い避難所の位置情報を通知することができるという効果がある。
【発明を実施するための最良の形態】
【０００９】
以下、本発明の緊急避難情報通知システムによる３つの実施の形態について図面を参照して詳細に説明する。実施の形態１は、各携帯電話機に最も近い避難所の位置情報を通知する緊急避難情報通知システムに係るものであり、実施の形態２は、避難所の収容状況を考慮して受け入れが可能な避難所のなかで最も近い避難所の位置情報を知らせる緊急避難情報通知システムに係るものであり、実施の形態３は、避難所の収容状況に合わせて救援物資の過不足状態を分析して救援物資の調達を依頼する緊急避難情報通知システムに係るものである。
【００１０】
（実施の形態１）
図１は、本発明の実施の形態１に係る緊急避難情報通知システムの構成図である。図１において、緊急避難情報通知システム１は、担当エリアにおける災害の発生を検知し、最も近い避難所の位置情報を通知する防災センタ２と、防災センタ２が通知する避難所の位置情報を受信する不特定多数の携帯電話機３とを備えて構成される。
【００１１】
図２は、本発明の実施の形態１に係る防災センタの構成を示す機能ブロック図である。図２において防災センタ２は、防災センタ２が発信する無線電波を送受信できる範囲に在る不特定多数の携帯電話機３と通信し、各携帯電話機３に最も近い避難所の位置情報を送信する通信部４と、災害の発生を検知し、通信部４が送信する最も近い避難所を選定する処理などを実行する処理部５と、処理部５が最も近い避難所を選定するためのデータなどを記憶する記憶部６とを備え、各部を構成する要素をそれぞれ制御部７に接続して構成される。
【００１２】
通信部４は、無線電波を送受信できる範囲に在る不特定多数の携帯電話機３に対して緊急情報を送受信するためのチャネルによる緊急情報の送受信を含んで、アンテナ１１を介して各携帯電話機３の位置情報などを受信する受信部１２と、アンテナ１１を介して各携帯電話機３に最も近い避難所の位置情報などを送信する送信部１３とを備える。
【００１３】
処理部５は、防災センタ２の担当エリア内で災害が発生したことを検知する災害検知部１４と、災害検知部１４が災害を検知したとき、報知情報に緊急情報であることを示す識別子を付け、携帯電話機３が現在在る地点の位置情報などを返信する要求を付加した緊急情報を、緊急情報を送受信するためのチャネルに乗せて発信する災害報知部１５と、受信部１２が受信した各携帯電話機３の位置情報などを記憶する処理を実行する携帯位置記憶処理部１６と、携帯電話機３に最も近い避難所を選定して通知する避難所選定部１７とを備える。
【００１４】
記憶部６は、携帯電話機３の位置情報などを記憶する携帯位置情報記憶部１８と、避難所の位置情報などを登録した避難所位置情報記憶部１９とを備える。避難所の位置情報は、避難所の地図上の位置データ、及び避難所の名称だけでなく、避難所付近の地図、及び避難所までの音声又は文字などによる道案内用データなどを含む。
【００１５】
図３は、本発明の実施の形態１に係る携帯電話機の構成を示す機能ブロック図である。図２において携帯電話機３は、緊急情報を送受信するためのチャネルによる緊急情報の送受信を含んで、アンテナ３１を介して防災センタ２に自らの位置情報などを送信する送信部３３と、アンテナ３１を介して防災センタ２から避難所の位置情報などを受信する受信部３２と、キーなどからなる入力部３４と、受信した避難情報の位置情報を表示する表示部３５と、ＧＰＳ衛星からの位置決め信号を受信して個々の位置を自動的に測定して位置情報を取得できるＧＰＳなどの位置情報取得部３６と、避難所の位置情報の受信をアラームの鳴動等で通知したり、避難所の位置情報を音声出力するスピーカ３７及びマイク３８を制御する音声処理部３９とを制御部４０に接続して備える。
【００１６】
図４は、本発明の実施の形態１に係る緊急避難情報通知システムの動作を説明するフロー図である。防災センタ２の災害検知部１４が、災害の発生を検知すると（ＳＴ１０１；ＹＥＳ）、災害報知部１５は、無線電波の届く範囲に在る不特定多数の携帯電話機３に対して、緊急情報であることを示す識別子と、携帯電話機３の番号及び現在在る地点の位置情報の返信要求を報知情報に付けた緊急情報を送信部１３から緊急情報を送受信するためのチャネルを使って発信する（ＳＴ１０２）。
【００１７】
携帯電話機３は、同じチャネルを使って付近にある携帯電話基地局（図示しない）から受信部３２を介して報知情報などを定期的に受信し（ＳＴ２０１、ＳＴ２０２；ＮＯ）、付近にある携帯電話基地局に自らの番号などを（ＳＴ２０４）、返信している（ＳＴ２０５）。
【００１８】
携帯電話機３の受信部３２は、防災センタ２から緊急情報を受信し（ＳＴ２０１）、受信した報知情報に緊急情報が存在していると（ＳＴ２０２；ＹＥＳ）、ＧＰＳなどの位置情報取得部３６によって携帯電話機３の位置情報を受信し（ＳＴ２０３）、受信した位置情報と携帯電話機３の番号を合わせて（ＳＴ２０４）、防災センタ２に送信部３３から緊急情報を送受信するためのチャネルを使って返信する（ＳＴ２０５）。
【００１９】
防災センタ２の受信部１２が、緊急情報を送受信するためのチャネルによって携帯電話機３の番号とその位置情報を受信すると（ＳＴ１０３）、防災センタ２の携帯位置記憶処理部１６は、受信した携帯電話機３の番号と位置情報を携帯位置情報記憶部１８に記憶する（ＳＴ１０４）。
【００２０】
避難所選定部１７は、受信した全ての携帯電話機３の処理が終了するまで（ＳＴ１０５；ＮＯ）、順番に、１台ずつ携帯位置情報記憶部１８に記憶された携帯電話機３の位置情報と避難所位置情報記憶部１９に登録されている避難所の位置情報とを比較して（ＳＴ１０６）、携帯電話機３の現在在る地点と最も近い避難所を選定し（ＳＴ１０７）、送信部１３を介して携帯電話機３を呼び出し、最も近い避難所の位置情報を通知する（ＳＴ１０８）。
【００２１】
このようにして呼び出された携帯電話機３は、避難所の位置情報を受信すると（ＳＴ２０６）、携帯電話機３の所持者の操作に従って最も近い避難所の位置情報を表示部３５に文字によって表示したり又はスピーカ３７から音声によって出力する（ＳＴ２０７）。緊急情報は、災害の程度に合わせて、緊急度レベルを設定することができる。生命に危険を及ぼす場合等のような緊急度レベルが高い場合、携帯電話機３が、着信音等の鳴動を行わないマナーモードに設定されていても鳴動を行い、ＬＥＤなどを点滅させて、携帯電話機３の所持者に通知することができる。
【００２２】
防災センタ２は、受信した全ての携帯電話機３に対してＳＴ１０６からＳＴ１０８の処理を実行すると（ＳＴ１０５；ＹＥＳ）、緊急情報通知処理を終了する。
【００２３】
このような実施の形態１によれば、災害が発生したとき、携帯電話機３の所持者は、各携帯電話機３から最も近い避難所の位置情報を知ることができるので、携帯電話機３の所持者は、最も近い避難所に素早く避難することができる。また、各携帯電話機３の現在在る地点によって通知される避難所が異なるため、各避難所に人が分散し、一つの避難所に人が集中することが少なくなる。
【００２４】
実施の形態１によれば、避難所の位置情報を防災センタ２から通知しているので、災害の発生によって携帯基地局で生じる電話による過負荷や、特許文献１にあるように携帯基地局を介して行われる緊急情報の送信などによる過負荷の影響を受けることなく、安定して確実に避難所の位置情報を個々の携帯電話機３に通知することができる。
【００２５】
特許文献１にあるような緊急情報伝達システムでは、緊急情報を通知する防災センタはもとより、携帯事業者センタ、携帯電話用制御局、携帯基地局、及びそれらを接続する通信ネットワークのいずれか一つに障害が発生しても、緊急情報を伝達することができないが、実施の形態１によれば、防災センタ２から直接避難所の位置情報を通知しているので、災害によって通信施設及び通信ネットワークに障害が発生することがあっても、避難所の位置情報を携帯電話機３に確実に通知することができる。
【００２６】
尚、記憶部６に実際の道路状況を記憶した道路情報記憶部などを加えて備え、避難所までの実際の道のりが最も短くなるような検索方法を実施してもよい。
【００２７】
尚、ＳＴ１０５において、受信した全ての携帯電話機３に対してＳＴ１０６からＳＴ１０８の処理が終了した後（ＳＴ１０５；ＹＥＳ）、所定時間の経過を待ってＳＴ１０１に戻り、災害検知部１４が、災害を検知しなくなるまで（ＳＴ１０１；ＮＯ）、ＳＴ１０２からＳＴ１０８の緊急情報通知処理を定期的に繰り返すようにしてもよい。その場合、携帯電話機３の所持者は、災害検知部１４が災害を検知している間、今在る地点から最も近い避難所の位置情報を定期的に知ることができるので、避難経路のとり方によっては、近くなる他の避難所の位置情報を知ることができる。
【００２８】
（実施の形態２）
図５は、本発明の実施の形態２に係る緊急避難情報通知システムの構成図である。図５において図１に示す実施の形態１に係る緊急避難情報通知システムの構成図と同じ構成については同一の符号を付して説明を省略する。図５に示すように、実施の形態２の緊急避難情報通知システム１００は、防災センタ１０２が実施の形態１に係る緊急避難情報通知システム１と異なるものになる。
【００２９】
図６は、本発明の実施の形態２に係る防災センタの構成を示す機能ブロック図である。図６において図２に示す実施の形態１に係る防災センタ２の構成を示す機能ブロック図と同じ機能ブロックについては同一の符号を付して説明を省略する。防災センタ１０２は、図２に示す処理部５に、避難所が新たな人の受け入れが可能かどうかを判定する収容状況判定部１２１を加えて備え、記憶部６に、各避難所が収容できる定員数などの施設設備に関する情報を記憶した施設情報記憶部１２２、及び現在までに避難所に避難するように通知した数を避難所ごとに記憶した収容状況記憶部１２３とを加えて備える。
【００３０】
実施の形態２に係る携帯電話機の機能ブロック図は、図３に示す実施の形態１に係る携帯電話機の機能ブロック図と同じである。
【００３１】
以上のように構成された緊急避難情報通知システム１００の動作について説明する。図７は、本発明の実施の形態２に係る緊急避難情報通知システムの動作を説明するフロー図である。図７において図４に示す実施の形態１に係る緊急避難情報通知システムの動作を説明するフロー図と同じ処理ステップについては同一の符号を付して説明を省略する。
【００３２】
図７のＳＴ１０７において、防災センタ１０２の避難所選定部１７が、携帯電話機３の現在在る地点に最も近い避難所を選定した後、防災センタ１０２の収容状況判定部１２１は、収容状況記憶部１２３に記憶されている現在までに選定された避難所に避難するように通知した数に１を加算して（ＳＴ３０１）、避難所に避難するように通知した数から選定された避難所に避難する人数を推定し（ＳＴ３０２）、選定された避難所に避難すると推定される人数と、施設情報記憶部１２２にある選定された避難所の定員数を比較する。
【００３３】
選定された避難所に避難すると推定される人数が、施設情報記憶部１２２にある選定された避難所の定員数を超えているとき（ＳＴ３０３；ＹＥＳ）、ＳＴ１０７で選定した避難所を満員と判定し、その避難所を避難所位置情報記憶部１９から除き（ＳＴ３０４）、ＳＴ１０６に戻り、携帯位置情報記憶部１８に記憶された携帯電話機３の位置情報と避難所位置情報記憶部１９に登録されている避難所の位置情報とを再度比較して、ＳＴ１０７において携帯電話機３の現在在る地点と最も近い避難所を再び選定する。
【００３４】
ＳＴ３０３において、選定された避難所に避難すると推定される人数が、施設情報記憶部１２２にある避難所の定員数以下のときは（ＳＴ３０３；ＮＯ）、選定された避難所に避難するように通知した数に１を加算した数を収容状況記憶部１２３に記憶して（ＳＴ３０５）、ＳＴ１０８において選定した避難所の位置情報を携帯電話機３に通知する。
【００３５】
このような実施の形態２によれば、避難所に避難するように通知した数によって避難所に避難する人数を推定し、選定した避難所が満員か否かを分析して最も近い避難所の中で定員数に達していない避難所の位置情報を携帯電話機３に通知するので、通知された避難所が満員で、再度、別の避難所に避難しなければならないというようなことがなくなる。
【００３６】
尚、ＳＴ１０５において、受信した全ての携帯電話機３に対してＳＴ１０６からＳＴ１０８の処理が終了した後（ＳＴ１０５；ＹＥＳ）、所定時間の経過を待ってＳＴ１０１に戻り、災害検知部１４が、災害を検知しなくなるまで（ＳＴ１０１；ＮＯ）、ＳＴ１０２からＳＴ１０８の緊急情報通知処理を定期的に繰り返すようにしてもよい。その場合、防災センタ１０２は、災害検知部１４が災害を検知している間、携帯電話機３の所持者が移動している様子を定期的に知ることができる。また、避難所に辿り着いた携帯電話機３の実際の数を知ることができるので、避難所に避難する人数をより正確に把握することができる。
【００３７】
尚、避難所の位置情報に、避難所に現在避難している人数などの避難所の収容状態を知らせる情報を入れて通知してもよい。
【００３８】
（実施の形態３）
図８は、本発明の実施の形態３に係る緊急避難情報通知システムの構成図である。図８において図１に示す実施の形態１に係る緊急避難情報通知システムの構成図と同じ構成については同一の符号を付して説明を省略する。図８に示すように、実施の形態３の緊急避難情報通知システム２００は、防災センタ２０２と、防災センタ２０２と通信回線２０３及び通信ネットワーク２０４を介して接続される配送センタ２０５又は物資調達業者２０６などを備えることが実施の形態１及び実施の形態２に係る緊急避難情報通知システム１、１００と異なる。
【００３９】
図９は、本発明の実施の形態３に係る防災センタの構成を示す機能ブロック図である。図９において図６に示す実施の形態２に係る防災センタ２の構成を示す機能ブロック図と同じ機能ブロックについては同一の符号を付して説明を省略する。防災センタ２０２は、図６に示す通信部４に、通信回線２０３と接続する通信制御部２１１を加えて備え、処理部５に、不足する救援物資の配送を依頼する物資配送依頼部２１２を加えて備え、記憶部６に、救援物資を調達する配送センタ２０５又は物資調達業者２０６などの連絡先を記憶した物資調達先リスト２１３を加えて備える。施設情報記憶部２２２には、避難所に準備された救援物資の保管数などが加えて記憶される。
【００４０】
実施の形態３に係る携帯電話機の機能ブロック図は、図３に示す実施の形態１に係る携帯電話機の機能ブロック図と同じである。
【００４１】
以上のように構成された緊急避難情報通知システム２００の動作について説明する。本発明の実施の形態３に係る緊急避難情報通知システムの動作を説明するフロー図は、図７に示すＳＴ１０５までは、実施の形態２に係る緊急避難情報通知システムの動作を説明するフロー図と同じである。
【００４２】
緊急避難情報通知システム２００の防災センタ２０２は、ＳＴ１０５において、受信した全ての携帯電話機３に対する処理が終了すると（ＳＴ１０５；ＹＥＳ）、物資配送依頼部２１２の処理を実行して、緊急情報通知処理を終了する。
【００４３】
図１０は、本発明の実施の形態３に係る物資配送依頼部の動作を説明するフロー図である。防災センタ２０２の物資配送依頼部２１２は、収容状況記憶部１２３に記憶された全ての避難所に対する処理が終了するまで（ＳＴ４０１；ＮＯ）、順番に、避難所ごとにＳＴ４０２からＳＴ４０５の処理を実行する。
【００４４】
収容状況記憶部１２３に記憶されている現在までに処理中の避難所に避難するように通知した数から、避難所に避難する人数を推定し（ＳＴ４０２）、避難所に避難すると推定される人数から避難所で必要な救援物資を計算し（ＳＴ４０３）、必要な救援物資が施設情報記憶部２２２にある同じ避難所に準備された救援物資の保管数を超える場合（ＳＴ４０４；ＹＥＳ）、通信制御部２１１を介して接続される通信ネットワーク２０３によって、物資調達先リスト２１３に予め記憶される配送センタ２０５、又は物資調達業者２０６などに不足した救援物資の配送要求を送信して（ＳＴ４０５）、次の避難所に対して同様の処理を行うため、ＳＴ４０１に戻る。
【００４５】
救援物資の配送要求を受信した配送センタ２０５、又は物資調達業者２０６は、不足した救援物資を直ちに調達して配送を依頼した避難所に届ける。
【００４６】
ＳＴ４０４において、必要とされる救援物資が充分であれば（ＳＴ４０４；ＮＯ）、次の避難所に対して同様の処理を行うため、ＳＴ４０１に戻る。
【００４７】
ＳＴ４０１において、収容状況記憶部１２３に記憶された全ての避難所に対する処理が終了すると（ＳＴ４０１；ＹＥＳ）、防災センタ２０２は、緊急情報通知処理を終了する。
【００４８】
このような実施の形態３によれば、防災センタ２０２から各携帯電話機３に避難所を通知したことで、自動的に避難する人を各避難所に割り当てることになり、避難する人を各避難所に割り当てたことで各避難所における救援物資の過不足状況を知ることができる。また、救援物資が不足する避難所が分かると、防災センタ２０２から物資調達先リスト２１３に予め記憶される配送センタ２０５又は物資調達業者２０６などに自動的に救援物資の配送が依頼されるので、救援物資が速やかに分配されて、避難所は不足する救援物資を迅速に調達できる。
【００４９】
尚、ＳＴ１０５において、受信した全ての携帯電話機３の処理が終了した後（ＳＴ１０５；ＹＥＳ）、所定時間の経過を待ってＳＴ１０１に戻る処理を複数回実行し、携帯電話機３の所持者の避難が完了した後に、物資配送依頼部２１２のＳＴ４０１からＳＴ４０５の処理を実行させてもよい。その場合、避難所に実際辿り着いた携帯電話機３の数を知ることができるので、避難所で必要となる救援物資の数をより正確に把握することができる。
【産業上の利用可能性】
【００５０】
本発明にかかる緊急避難情報通知システムは、災害地域に居る各携帯電話機の所持者に、現在在る地点から最も近い避難所の位置情報を通知することができるという効果を有し、災害などが発生したとき防災センタが携帯電話機に対して避難情報を通知する緊急避難情報通知システムに関し、特に、携帯電話機の所持者が現在居る地点に応じて個別の避難情報を通知する緊急避難情報通知システムに有用である。
【図面の簡単な説明】
【００５１】
【図１】本発明の実施の形態１に係る緊急避難情報通知システムの構成図
【図２】本発明の実施の形態１に係る防災センタの構成を示す機能ブロック図
【図３】本発明の実施の形態１に係る携帯電話機の機能ブロック図
【図４】本発明の実施の形態１に係る緊急避難情報通知システムの動作を説明するフロー図
【図５】本発明の実施の形態２に係る緊急避難情報通知システムの構成図
【図６】本発明の実施の形態２に係る防災センタの構成を示す機能ブロック図
【図７】本発明の実施の形態２に係る緊急避難情報通知システムの動作を説明するフロー図
【図８】本発明の実施の形態３に係る緊急避難情報通知システムの構成図
【図９】本発明の実施の形態３に係る防災センタの構成を示す機能ブロック図
【図１０】本発明の実施の形態３に係る物資配送依頼部の動作を説明するフロー図
【符号の説明】
【００５２】
１、１００、２００  緊急避難情報通知システム
２，１０２、２０２  防災センタ
３  携帯電話機
４  通信部
５  処理部
６  記憶部
７、４０  制御部
１１、３１  アンテナ
１２、３２  受信部
１３、３３  送信部
１４  災害検知部
１５  災害報知部
１６  携帯位置記憶処理部
１７  避難所選定部
１８  携帯位置情報記憶部
１９  避難所位置情報記憶部
３４  入力部
３５  表示部
３６  位置情報取得部
３７  スピーカ
３８  マイク
３９  音声処理部
１２１  収容状況判定部
１２２、２２２  施設情報記憶部
１２３  収容状況記憶部
２０３  通信回線
２０４  通信ネットワーク
２０５  配送センタ
２０６  物資調達業者
２１１  通信制御部
２１２  物資配送依頼部
２１３  物資調達先リスト
【図１】
2006121535.tif 000003
【図２】
2006121535.tif 000004
【図３】
2006121535.tif 000005
【図４】
2006121535.tif 000006
【図５】
2006121535.tif 000007
【図６】
2006121535.tif 000008
【図７】
2006121535.tif 000009
【図８】
2006121535.tif 000010
【図９】
2006121535.tif 000011
【図１０】
2006121535.tif 000012